(57)【要約】  分離された、カモフラージュと幻惑との方法を提供する。本発明において、小さな口径の弾薬（４）を使用することを可能にしていて、この弾薬は幻惑材（６）を展開する。これらの幻惑材（６）又は弾薬（４）は、防御するべき戦車（対象物（９））により垂直方向に所定の高さに及び／又は横方向に発射される。この目的のために、発射筒（２）は戦車又は防御する対象物（９）に垂直方向上向きに取り付けられる。適切な光フラッシュ（８）は装填弾薬の起爆により特定のスペクトルで発生される。そして、その起爆は時間的に高さを変えられ、近づく弾頭の誘導装置を妨害する。対象物（９）の上方及び／又は側方で、高さの異なる分解フラッシュが複数の弾薬（４）により交互に発生される。
2010532857.tif 000002
【特許請求の範囲】
【請求項１】
ミサイル攻撃に対して妨害することにより対象物（９）を防御するための方法であって、
一つ以上の補助弾薬（６）又は幻惑材が、前記対象物（９）に関して垂直方向又は横方向に発射装置（１）から弾薬（４）により直接発射されていて、前記補助弾薬（６）及びこれに関連する光フラッシュ（８）を発射するために時間計測が電子的に行なわれていて、その結果、少なくとも一つの光フラッシュ（８）は、前記ミサイルの誘導装置を妨害するスペクトルで発生され、そして前記光フラッシュ（８）は前記対象物（９）に対して各々が異なる高さ及び／又は横方向にずれて発生される、方法。
【請求項２】
複数の前記弾薬（４）により、前記対象物（９）の上方に異なる高さの光フラッシュ（８）を発生することができ、前記対象物（９）の側方に横方向の広がりを有する光フラッシュ（８）を発生することができることを特徴とする、請求項１に記載の方法。
【請求項３】
前記補助弾薬の前記分解フラッシュの高さは前記対象物（９）の上方約１ｍ〜１５ｍの範囲であることを特徴とする、請求項１又は２に記載の方法。
【請求項４】
前記分解フラッシュの高さは個々の前記光フラッシュ（８）の内部で上昇していることを特徴とする、請求項１〜３のいずれか一項に記載の方法。
【請求項５】
前記高さは個々の前記光フラッシュ（８）の内部で下降することを特徴とする、請求項１〜３のいずれか一項に記載の方法。
【請求項６】
補助弾薬（６）又は弾薬（４）のための発射装置（１）であり、ミサイル攻撃に対して妨害することにより対象物（９）を防御するべく幻惑するための補助弾薬（６）を有している発射装置（１）であって、対象物（９）において垂直に上方向を向いて整列されているお互いに平行な発射筒（２）を備えている発射装置（１）において、
個々の前記補助弾薬（６）及びこれに関連する光フラッシュ（８）を発射するために電子的に時間計測が行なわれていて、前記光フラッシュ（８）は前記対象物（９）に対して種々の高さ及び／又は横方向にずれて発生される、発射装置。
【請求項７】
前記弾薬（４）又は前記補助弾薬（６）は前記発射装置（１）との接点（１０）を有していて、前記弾薬（４）又は前記補助弾薬（６）は前記接点を介して電気的又は機械的に起爆される、請求項５に記載の発射装置。
【請求項８】
ミサイル攻撃に対して妨害することにより、対象物（９）を防御するための弾薬（４）であって、一つ以上の補助弾薬（６）又は幻惑材を備えている弾薬（４）において、
個々の前記補助弾薬（６）及びこれに関連する光フラッシュ（８）を発射するために電子的に時間計測が行なわれていて、前記光フラッシュ（８）は前記対象物（９）に対して種々の高さ及び／又は横方向にずれて発生される、弾薬。
【請求項９】
前記弾薬がケーシングなしでマガジン（３）又は発射筒（２）から直接発射されることを特徴とする、７に記載の弾薬。
【請求項１０】
前記弾薬（４）又は前記補助弾薬（６）は、戦車防御する弾薬に関して比較的小さな口径を有していることを特徴とする、７又は８に記載の弾薬。
【発明の詳細な説明】
【技術分野】
【０００１】
本発明は、幻惑材を発射することにより対戦車誘導ミサイルをそらすために使用される妨害に関する。妨害は、敵のミサイルのモータに対応していることである。モータは発射装置からのロケットを制御するために常時調整されていて、軌道からのずれはロケットの修正により補正される。この誘導装置が妨害により影響を受け、ロケットは軌道からそれる。
【背景技術】
【０００２】
幻惑は光学的方法又は弾薬技術により行なわれる。光学的方法の一つは、ストロボランプによる光フラッシュの発生であって、ストロボランプは戦車の静止位置に取り付けられている。弾薬技術によるものの一つは、ベンガルフレア（Bengal flare）と同様な閉光弾による空間的にバンド状になった弾薬の燃焼である。
【０００３】
弾薬技術の方法が弾薬の場合、幻惑は弾薬そのものにより発生され、そしてその弾薬は視覚遮断（発煙）にも使用される。光フラッシュは発煙弾に組み込まれた適切な分解装薬（break-up charge）により発生される（特許文献１，２，３）。
【０００４】
特許文献４は戦車又は防御すべき対象物のための自己防衛装置につき開示している。自己防衛装置と発射装置は弾薬を備えていて、弾薬は活性剤を含んでいて、発射直後に強烈な光フラッシュ及び／又は煙を発生する。発煙弾には活性剤が含まれている。
【０００５】
特許文献５は、赤外線を発している対象物の防御方法を開示していて、ミサイルが発見されると、広範囲にわたる爆薬による幻惑放射雲がミサイルと対象物との間に発生され、その雲は最初の短時間強力な赤外線を放射し、誘導用電子材器を妨害する。続いて、この幻惑放射雲は長時間にわたり弱い赤外線を放射する。この放射雲が形成されると、ミサイルは防御すべき対象物から徐々にそれてゆく。
【０００６】
光学的方法の欠点は、技術的に複雑なものであり、重量が重く、効果を発揮するまでに長時間の燃焼を必要とすることである。
【０００７】
弾薬技術の方法は、比較的大きな砲口口径であることから、多くの作戦で戦車に載せて運ぶことは困難である。さらに、弾薬は重い。そして誤ったアラームが多いために、弾薬の使用量が多くなる。
【０００８】
従来、弾薬は攻撃の方向に発射される。このことは、弾薬の発射装置の照準合わせを必要とすることから、（特許文献６）、時間遅れをもたらす。複数の装置が同時にすべての攻撃方向をカバーする必要が生じる（特許文献４）。
【０００９】
従来の弾薬の発射装置は広いスペースを必要とし戦車に組み込むことが困難である。
【００１０】
さらなる欠点は弾薬自体にある。例えば煙による幻惑及びカモフラージュの作用は常時この弾薬により展開される。しかしながら、煙は視界を妨げることから常時必要とされない。
【先行技術文献】
【特許文献】
【００１１】
【特許文献１】独国特許公開第３８３５８８７Ｃ２号明細書
【特許文献２】独国特許公開第２８４２７９７Ｃ２号明細書
【特許文献３】独国特許公開第１０２００５０２０１５９Ａ１号明細書
【特許文献４】独国特許公開第１０２００５０５４２７５Ａ１号明細書
【特許文献５】欧州特許公開第０５１２２０２Ａ２号明細書
【特許文献６】独国特許公開第１０２００５０２０１７７Ａ１号明細書
【発明の概要】
【発明が解決しようとする課題】
【００１２】
本発明の目的は、改善された幻惑方法提供し、発射装置に作用する重量を低減するものである。
【課題を解決するための手段】
【００１３】
この目的は請求項１，４及び６に規定する特徴により達成されている。利点のある実施形態については、従属請求項に規定されている。
【００１４】
本発明の考え方は、カモフラージュと幻惑との作用を完全に分離することにある。このことが小さな口径の弾薬を使用することを可能にしていて、この弾薬は幻惑材を発射する。これらの幻惑材及び／又は弾薬は、防御するべき戦車により垂直方向に所定の高さに及び／又は横方向に発射される。この目的のために、発射筒は戦車又は防御する対象物に垂直方向上向きに取り付けられる。適切な光フラッシュは装填弾薬の起爆により特定のスペクトルで発生される。そして、その起爆は時間的に高さを変えられ、近づく弾頭の誘導装置を妨害する。対象物の上方及び／又は側方で、高さの異なる分解フラッシュが複数の弾薬により交互に発生される。
【００１５】
幻惑材の発射量は他の効果例えば発煙とは関係なく発射される。個別に発射できる発煙弾は幻惑の作用を必要としない。このことが、複数の発煙体を発煙弾に含めることを可能にしている。
【００１６】
発射は、小さくてコンパクトは発射装置により、例えばマガジンから電気的又は機械的に行なわれる。光フラッシュ個々の起爆の時間は電子機器により制御される。これらの電子機器は、好ましくは発射装置の構成部品である。
【００１７】
本発明における発射装置の利点は小さな構造体であり誘導装置を必要とせず、軽重量であることである。
【００１８】
以下に、例示の実施形態を図面を参照して詳述する。
【図面の簡単な説明】
【００１９】
【図１】図１は、弾薬の発射装置を図示している。
【図２】図２は、図１の弾薬を図示している。
【図３】図３は、戦車に組み込んだものを図示している。
【発明を実施するための形態】
【００２０】
図１はコンパクトな発射装置又は発射装置１を透視図で図示したものであって、発射筒には複数の発射筒が備えられていて、複数の発射筒は上向きに配置されお互に平行であって、そしてマガジン３を形成している。一つの弾薬４はこれらの発射筒２各々に配置されている。
【００２１】
図２は弾薬４の構造を図示している。弾薬４はケーシング５を備えていて、ケーシング５の一つ以上の補助弾薬６（幻惑材）が発射される。代りに、補助弾薬６（幻惑材）がマガジン３からケーシングなしに直接発射されてもよい。弾薬４又は補助弾薬６は戦車防御用の比較的小さな砲口口径、例えば４０ｍｍ（中位いの口径）である。
【００２２】
弾薬４又は補助弾薬６は発射装置１との接点１０を有していて、弾薬４及び補助弾薬６は接点１０を介して電気的又は機械的に着火される。光フラッシュ（light flash）８各々を着火する時間は電子機器７により制御されている。これらの電子機器は好ましくは発射装置１の構成部品である。光フラッシュ又は分解フラッシュ（break-up flash）８を着火ために、複数の補助弾薬６及び／又は複数の弾薬４が時間に従って連続的に着火される。
【００２３】
幻惑材６の分解フラッシュ８は戦車９の上方で空間的に発生される（図３）。分解フラッシュの高さは、好ましくは戦車９の上方約３ｍ〜１５ｍの範囲である。この場合、高さは光フラッシュ８各々の内部で上昇する。発射は、好ましくは戦車９から垂直に上向きに行なわれる。横方向への分解フラッシュは分解フラッシュの高さを下げることにより行なうことができる。
【００２４】
図３は戦車９における発射装置１の配置を図示している。分解フラッシュ８は、戦車９の上方例えば４ｍ，８ｍ又は１２ｍの高さで発生される。
【図１】
2010532857.tif 000003
【図２】
2010532857.tif 000004
【図３】
2010532857.tif 000005
【国際調査報告】
2010532857.tif 000006
2010532857.tif 000007
2010532857.tif 000008
2010532857.tif 000009
2010532857.tif 000010
2010532857.tif 000011